(57)【要約】【課題】給水管や電源コードを露出させず、且つ衛生洗浄装置の着脱も容易なトイレ装置を提供する。【解決手段】水洗便器と、吐水ノズルを有し前記水洗便器の上に着脱可能に設けられた衛生洗浄装置と、前記衛生洗浄装置に水を供給する給水管と、前記衛生洗浄装置に電力を供給する電源コードと、を備え、前記水洗便器は、上面の後方に開口を有し、前記給水管及び前記電源コードの少なくともいずれかは、前記衛生洗浄装置から前記開口を介して前記水洗便器の後方に引き出されてなることを特徴とするトイレ装置を提供する。【選択図】図１
2008095396.tif 000002
【特許請求の範囲】
【請求項１】
水洗便器と、
吐水ノズルを有し前記水洗便器の上に着脱可能に設けられた衛生洗浄装置と、
前記衛生洗浄装置に水を供給する給水管と、
前記衛生洗浄装置に電力を供給する電源コードと、
を備え、
前記水洗便器は、上面の後方に開口を有し、
前記給水管及び前記電源コードの少なくともいずれかは、前記衛生洗浄装置から前記開口を介して前記水洗便器の後方に引き出されてなることを特徴とするトイレ装置。
【請求項２】
前記衛生洗浄装置の後方に近接して設けられたロータンクをさらに備えたことを特徴とする請求項１記載のトイレ装置。
【請求項３】
前記開口は、前記水洗便器の側面に開放してなり、
前記側面の前記開放した部分を覆うように前記水洗便器に対して着脱可能に設けられたカバーをさらに備えたことを特徴とする請求項１または２に記載のトイレ装置。
【請求項４】
前記カバーは、前記水洗便器の後方に設置され前記給水管が接続される給水栓を隠蔽するように延在してなることを特徴とする請求項３記載のトイレ装置。
【請求項５】
前記開口の前方の端部に樹脂からなるスペーサが設けられたことを特徴とする請求項１〜４のいずれか１つに記載のトイレ装置。
【請求項６】
前記開口よりも後方において前記給水管及び前記電源コードの少なくともいずれかを回転体により摺動可能に支持するガイドをさらに備えたことを特徴とする請求項１〜５のいずれか１つに記載のトイレ装置。
【請求項７】
前記回転体は、球状のボールベアリングであることを特徴とする請求項６記載のトイレ装置。
【請求項８】
前記回転体は、滑車式のベアリングであることを特徴とする請求項６記載のトイレ装置。
【請求項９】
前記開口よりも後方において前記給水管及び前記電源コードの少なくともいずれかを摺動可能に支持するガイドをさらに備えたことを特徴とする請求項１〜８のいずれか１つに記載のトイレ装置。
【請求項１０】
前記給水管は、前記衛生洗浄装置に対して回動可能に接続されたことを特徴とする請求項１〜９のいずれか１つに記載のトイレ装置。
【請求項１１】
前記給水管及び前記電源コードの前記少なくともいずれかに張力を付与する付勢手段をさらに備えたことを特徴とする請求項１〜１０のいずれか１つに記載のトイレ装置。
【請求項１２】
前記水洗便器と前記衛生洗浄装置との間に設けられ、前記水洗便器の前記上面の左右方向の略全体に延在するパッキンをさらに備えたことを特徴とする請求項１〜１１のいずれか１つに記載のトイレ装置。
【請求項１３】
前記給水管及び前記電源コードの少なくともいずれかは、前記衛生洗浄装置の後面あるいは後面に設けられた凹部より引き出されてなることを特徴とする請求項１〜１２のいずれか１つに記載のトイレ装置。
【発明の詳細な説明】
【技術分野】
【０００１】
本発明は、トイレ装置に関し、より具体的には、洋式腰掛便器に腰かけた使用者の「おしり」などを水で洗浄可能とした衛生洗浄装置を備えたトイレ装置に関する。
【背景技術】
【０００２】
衛生洗浄装置は、洗浄水を噴射する吐水ノズルをその内部に進退自在に収容し、腰掛便器の上面後部に設置して使用する形態のものが主流となっている。このような衛生洗浄装置を備えたトイレ装置を清潔に保つためには、便器から衛生洗浄装置を取り外して、その隙間などを清掃できるようにすることが望ましい。
【０００３】
一方で、このような衛生洗浄装置には、外部から水を供給する給水管と、電源を供給する電源コードとを接続する必要がある。しかし、これら給水管や電源コードがトイレ装置の周囲に引き回されると、美観を損なうばかりでなく、清掃時に給水管や電源コードが邪魔になり清掃性が悪くなったり、これら給水管や電源コードに引っかかって破損したりするおそれもある。
【０００４】
これに対して、通水管や電線の露出する長さを短くした温水洗浄装置が開示されている（特許文献１）。
【特許文献１】特開平６−６５９５５号公報
【発明の開示】
【発明が解決しようとする課題】
【０００５】
しかし、特許文献１に開示された温水洗浄装置の場合、依然としてトイレ装置の側面に通水管や電線が露出している。また、仮にこの温水洗浄装置を便器から取り外したとすると、これら通水管や電線は、温水洗浄装置の取付部分にはりだしてしまい、温水洗浄装置を再装着する際に邪魔になるおそれもある。
【０００６】
本発明は、給水管や電源コードを露出させず、且つ衛生洗浄装置の着脱も容易なトイレ装置を提供する。
【課題を解決するための手段】
【０００７】
本発明の一態様によれば、水洗便器と、吐水ノズルを有し前記水洗便器の上に着脱可能に設けられた衛生洗浄装置と、前記衛生洗浄装置に水を供給する給水管と、前記衛生洗浄装置に電力を供給する電源コードと、を備え、前記水洗便器は、上面の後方に開口を有し、前記給水管及び前記電源コードの少なくともいずれかは、前記衛生洗浄装置から前記開口を介して前記水洗便器の後方に引き出されてなることを特徴とするトイレ装置が提供される。
【発明の効果】
【０００８】
本発明によれば、給水管や電源コードを露出させず、且つ衛生洗浄装置の着脱も容易なトイレ装置を実現することができる。
【発明を実施するための最良の形態】
【０００９】
以下、図面を参照しつつ、本発明の実施形態について説明する。  
図１は、本発明の実施の形態に係るトイレ装置を左右前方からそれぞれ眺めた模式図である。  
このトイレ装置は、腰掛け式の便器９００と、便器に洗浄水を供給するロータンク９２０と、便器９００の上に設けられた衛生洗浄装置８００と、を有する。
【００１０】
衛生洗浄装置８００は、本体部８１０と、便蓋８２０と、便座８３０（図示せず）と、を有する。便蓋８２０と便座は、本体部８１０に対して開閉自在にそれぞれ軸支されている。
【００１１】
衛生洗浄装置８００の本体部８１０には、衛生洗浄を実現するための衛生洗浄機能部が内蔵されている。すなわち、着座センサにより使用者が便座に座ったことを検知し、使用者のスイッチ操作などに応じて本体部８１０から吐水ノズルを便器９００のボウル内に進出させ、その先端付近に設けられた吐水口から水を噴射して、便座に座った使用者の「おしり」などを洗浄可能とされている。なお、本願明細書において「水」という場合には、冷水のみならず、加熱されたお湯も含むものとする。
【００１２】
そして、本実施形態においては、衛生洗浄装置８００に接続される給水管や電源コードがトイレ装置の側面に露出していない。  
図２は、比較例のトイレ装置を表す模式図である。  
本比較例のトイレ装置の場合、衛生洗浄装置８００の本体部８１０に水を供給する給水管１００と、電力を供給する電源コード２００と、がそれぞれトイレ装置の側面に露出している。すなわち、これら給水管１００と電源コード２００は、便器９００の側面後方に設けられたカバー９５０の開口を介してその内側に引き回され、トイレ装置が設置されるトイレ室に設けられた給水栓と電源コンセントにそれぞれ接続される。
【００１３】
これに対して、図１に表した本実施形態のトイレ装置の場合、これら給水管１００や電源コード２００が側面に露出していない。その結果として、図１から分かるように、すっきりとして見栄えがよい。また、例えば雑巾などでトイレ装置を拭き掃除する時にも、側面に露出した給水管や電源コードが邪魔になることがなく、一拭きでサッときれいにすることができる。同様に例えばトイレ装置の周囲や奥のトイレ室の床などを清掃する際にも、清掃用具が給水管や電源コードと干渉したりひっかかることなく、スムーズに清掃作業ができる。
【００１４】
そしてさらに、本実施形態のトイレ装置においては、衛生洗浄装置８００を便器９００から取り外し、その後スムーズに再装着することもできる。  
図３は、衛生洗浄装置８００の着脱を表す模式図である。  
図３（ａ）は、衛生洗浄装置８００を便器９００の上に取り付けた状態を表す。この状態においては、衛生洗浄装置８００はロックされており、例えば手前に引いても衛生洗浄装置８００は動くことはない。したがって、便座に座った使用者に対して不安定感を与えることはなく、また不用意にずれる心配もない。
【００１５】
そして、本体部８１０に設けられた所定の取り外しボタン（図示せず）を押すと衛生洗浄装置８００のロックが解除され、便器９００から取り外すことができる。本具体例の場合、図３（ｂ）に表したように、衛生洗浄装置８００を手前（前方）に向けてスライドさせ便器９００から取り外す。すると、本体部８１０に後方に接続されている給水管１００と電源コード２００が、便器９００の後方に設けられた開口９６０から引き出される。つまり、本実施形態においては、給水管１００と電源コード２００は、本体部８１０の後方に接続され、便器９００の開口９６０に収容されている。なお、電源コード２００にアース線も含まれる場合と、電源コード２００とは別の配線としてアース線が設けられる場合がある。本実施形態においては、電源コード２００とは別の配線としてアース線が設けられる場合に、このアース線も電源コード２００とともに便器９００の後方に設けられた開口９６０から引き出すことができる。
【００１６】
このように衛生洗浄装置８００を便器９００から取り外すことができると、清掃が容易となり常に清潔に保つことができる。すなわち、衛生洗浄装置８００を取り外すことにより、ベースプレート９３０の周囲や衛生洗浄装置８００の裏面側を十分に清掃することができる。そして、衛生洗浄装置８００を再装着する際に、給水管１００や電源コード２００をスムーズに押し戻すことができる。その結果として、給水管１００と電源コード２００がじゃまになることなく、衛生洗浄装置８００をスムーズに再装着できる。
【００１７】
図４は、ロータンク９２０とカバー９５０を取り外した状態で衛生洗浄装置８００の着脱を表した模式図である。  
図４（ａ）に表したように、便器９００の後方にはロータンク台９１５が設けられ、ロータンク９２０はこのロータンク台９１５の上に設置される。図４（ｂ）に表したように、便器９００にはベースプレート９３０が固定されており、衛生洗浄装置８００の本体部８１０は、このベースプレート９３０に対して着脱自在に固定される。開口９６０は便器９００に切り欠きを設けることにより形成されており、その側面は、着脱可能なカバー９５０により覆われる。カバー９５０は、例えば面ファスナー（ベルクロテープ）などにより便器９００に着脱自在とされている。
【００１８】
図４（ｃ）に表したように、衛生洗浄装置８００を取り付けた状態においては、給水管１００と電源コード２００は本体部８１０の後方から下方に延在している。そして、ベースプレート９３０に対するロックを解除して衛生洗浄装置８００を手前（前方）に引き出すと、給水管１００と電源コード２００もこれに従って便器９００の上面を横方向に延在する。
【００１９】
図５は、開口９６０の部分を拡大した模式図である。すなわち、図５（ａ）〜（ｃ）は開口９６０を横から眺めた模式図であり、図５（ｄ）は開口９６０を上方から眺めた模式図である。  
給水管１００と電源コード２００は、衛生洗浄装置の本体部８１０の後面８１０Ｂに設けられた凹部８１０Ｃから引き出されている。そして、図５（ａ）に表したように、衛生洗浄装置８００を便器９００に取り付けた状態においては、給水管１００と電源コード２００は衛生洗浄装置の本体部８１０の凹部８１０Ｃ後方から下方に垂下している。そして、衛生洗浄装置８００を手前（前方）に引き出すと、図５（ｂ）〜（ｄ）に表したように、給水管１００と電源コード２００は、開口９６０の端部に摺りながら便器９００の上面を水平な方向に引き出される。ここで、開口９６０の端部に樹脂製のスペーサ９６２を付設することにより、給水管１００と電源コード２００に対する摺動抵抗を下げ、また、給水管１００の接続部の金具１０２が陶器製の開口９６０の端部に当接することによる音を防ぐことができる。スペーサ９６２は、開口９６０の端部に例えば面ファスナー（ベルクロテープ）やスナップフィット、板バネなどの方法により取り付けることができる。
【００２０】
一方、本実施形態の場合、衛生洗浄装置８００を便器９００に取り付けた状態においては、図５（ａ）に表したように、給水管１００と電源コード２００は本体部８１０の後方から下方に伸びるが、衛生洗浄装置８００を手前に引き出す時には、図５（ｃ）〜（ｄ）に表したように、給水管１００と電源コード２００は本体部８１０の後方から水平方向に伸びる。電源コード２００は柔軟であるので、下方から水平方向に向きを変えることも容易である。また、電源コード２００とは別にアース線が設けられている場合には、このアース線も電源コードとともに開口９６０から引き出すことができる。一方、給水管１００は、樹脂やゴムなどの防水層と金属製のメッシュの被覆層などを積層した構造を有するので、柔軟性の点では劣る。
【００２１】
そこで、本実施形態においては、本体部８１０に対する給水管１００の取付部に、上下方向（矢印Ａの方向）に回動可能な取付金具が設けられている。すなわち、本体部８１０に対して給水管１００を下方（図５（ａ））にも水平方向（図５（ｂ）から（ｄ））にも回動できるように取り付けられている。このような取付金具を設けることにより、衛生洗浄装置８００をロータンク９２０にぴったりと隣接させて設置することができ、且つ取り外しの際にも給水管１００の取付方向が回動することによりスムーズに行うことができる。
【００２２】
図６は、本実施形態のトイレ装置を上方から眺めた模式図である。  
このように、本実施形態によれば、給水管１００を上下方向に回動可能な取付金具で衛生洗浄装置８００に接続することにより、便器９００に取り付けた状態において、給水管１００を下方に垂下させ、ロータンク９２０にほぼぴったりとくっつけて配置することができる。その結果として、前後方向のサイズをコンパクトにでき、またこれまで存在した衛生洗浄装置とロータンクとの隙間に衛生洗浄装置を延在させることで、衛生洗浄装置の幅をコンパクトにできる。また見た目もすっきりとして見栄えがよい。さらに、衛生洗浄装置８００とロータンク９２０との隙間にホコリやゴミなどが溜まることも防止できる。
【００２３】
図７は、本実施形態の変型例を表す模式図である。  
本変型例においては、ロータンク９２０に切り欠き９２２が設けられている。したがって、衛生洗浄装置８００を取り付けた状態において、給水管１００と電源コード２００はその切り欠き９２２に向けて水平方向に引き出すことができ、衛生洗浄装置８００をロータンク９２０にぴったりとくっつけて配置することができる。
【００２４】
次に、給水管１００と電源コード２００のガイドの構造について説明する。  
図８は、トイレ装置からロータンク９２０とカバー９５０を取り外して後方から眺めた模式図である。  
給水管１００と電源コード２００は、衛生洗浄装置８００の本体部８１０の後面８１０Ｂに設けられた凹部８１０Ｃから便器９００の開口９６０を介して便器９００の後方に引き出されている。そして、給水管１００は、便器９００の後方のロータンク台９１５の下に取り付けられたホースガイド３００に摺動自在に支持され、その先端は、便器９００の後方端部の床面あるいは壁面に設置された給水栓１２０に接続される。一方、電源コード２００も、ホースガイド３００に併設されたコードガイド３８０に摺動自在に支持され、便器９００の後方に引き出される。電源コード２００の先端に設けられたプラグ２２０は、トイレ室に設けられた交流１００ボルトのコンセントに接続される。従って、衛生洗浄装置８００を着脱する際には、給水管１００はホースガイド３００の中を摺動し、電源コード２００はコードガイド３８０の中を摺動して引き出され、あるいは押し戻される。
【００２５】
図９は、ホースガイド３００の構造を例示する模式図である。  
すなわち、本具体例のホースガイド３００は、フレーム３１０の内側に３つのボールベアリング３２０が設けられた構造を有する。ボールベアリング３２０は、あらゆる方向に回転可能なボール３２２を有し、これが給水管１００を摺動自在に支持する。これら３つのボールベアリング３２０は、常に給水管１００に接している必要はなく、隣接するボール３２２の間から給水管１００が外側に脱落しない程度に、給水管１００とボール３２２との間に隙間があってもよい。
【００２６】
図１０は、図９の具体例のホースガイド３００を設けたトイレ装置を表す模式図である。  これらの図から分かるように、ロータンク台９１５の下に固定されたホースガイド３００は、開口９６０から引き出された給水管１００を便器９００の後ろ側に導くように、支持軸方向Ｓを前後方向（図４参照）に対して傾斜させて設けられている。ホースガイド３００から引き出された給水管１００は、便器９００の後ろ側で反転し、開口９６０と同じ側の後端に設けられた給水栓に接続される。
【００２７】
このように、ホースガイド３００により給水管１００を摺動自在に支持し、その支持軸方向Ｓを便器９００の後方に向けて傾斜させ、便器９００の後ろ側で給水管１００を反転させて給水栓に接続することにより、衛生洗浄装置８００の着脱の際に、給水管１００をスムーズに引き出し、押し戻すことができる。
【００２８】
衛生洗浄装置８００を単に取り外せたとしても、便器９００に再装着する際に、給水管１００や電源コード２００をスムーズに押し戻すことができないと、これらが邪魔になって衛生洗浄装置８００を取り付けることができない。これに対して、本実施形態においては、給水管１００と電源コード２００をスムーズに押し戻すことができるので、衛生洗浄装置８００の再装着もスムーズ且つ容易に実施できる。
【００２９】
また、ホースガイド３００の支持軸方向Ｓを適度に傾斜させることにより、給水管１００と電源コード２００を便器９００の後ろ側に回り込ませることができる。従って、便器９００の後ろ側にトイレ室の壁などが近接する場合でも、給水管１００と電源コード２００が、この壁に摺ることなく、円滑に衛生洗浄装置８００の着脱を実施できる。
【００３０】
また、図９に関して前述したようにボールベアリング３２０を用いて給水管１００を支持すると、摺動方向（図１０（ａ）における支持軸方向Ｓ）のみならず、給水管１００のねじれ（あるいは回転）の方向にもボール３２２が回転して給水管１００の動きを円滑に吸収できる。その結果として、衛生洗浄装置８００の着脱をスムーズに実施できる。
【００３１】
またさらに、給水管１００が接続される給水栓１２０を回転可能とすると、衛生洗浄装置８００の着脱に伴う給水管１００の動きを吸収してさらにスムーズな着脱が可能となる。ただし、本発明はこれには限定されず、給水栓１２０は回転できないものであってもよい。  
なお、このようなホースガイド３００は、例えば開口９６０の部分に設けてもよく、または、カバー９５０に固定してもよい。また、電源コード２００については、例えば、衛生洗浄装置８００の本体部８１０にスプリングなどを用いたコード巻き取り機構を内蔵し、衛生洗浄装置８００を取り外す際には、電源コード２００が本体部８１０から引き出され、衛生洗浄装置８００を取り付ける際には、余った電源コード２００が本体部８１０の中に巻き取られるようにしてもよい。
【００３２】
図１１及び図１２は、ホースガイド３００の変型例を表す模式図である。  
本変型例は、４つのボールベアリング３２０により給水管１００を支持する構造を有する。４つのボールベアリング３２０で支持することにより、隣接するボール３２２の間隔を短くできるので、給水管１００がボール３２２の隙間から外側に脱落することをより確実に防止できる。なお、図１１に表したように、４つのボール３２２の全てが給水管１００に常に接している必要はなく、適度に隙間を設けることができる。
【００３３】
一方、コードガイド３８０がホースガイド３００に付設され、電源コード２００を摺動自在に支持している。コードガイド３８０は、例えば樹脂などにより形成することができる。
【００３４】
図１３は、ホースガイド３００のさらなる変型例を表す分解図である。  
本変型例も、４つのボール３２２により給水管１００を支持する構造を有する。そして、これら４つのボール３２２を樹脂製のフレーム３１２、３１４の間に挟持し、ネジ３１６にて固定する。このように、４つのボール３２２を一体的に挟持する構造を採用すれば、コンパクトで低コストのホースガイド３００を実現できる。
【００３５】
図１４は、異なるタイプのベアリングを用いたホースガイドを説明するための模式図である。  
すなわち、本変型例においては、図１４（ａ）に表したように、滑車型のベアリング３３０を用いる。滑車型のベアリング３３０は、回転軸の回りに回転する滑車３３２を有する。
【００３６】
これら滑車型のベアリング３３０を用い、図１４（ｂ）に表したように、３方向から給水管１００を支持することができる。あるいは、図１４（ｃ）に表したように、４方向から給水管１００を支持してもよい。
【００３７】
図１５は、給水管１００と電源コード２００のガイド構造の変型例を表す模式図である。  また、図１６は、このガイド構造の部分拡大図である。
【００３８】
本変型例においては、給水管１００と電源コード２００をスライド可能なプーリー３４０で支持し、このプーリー３４０を水平方向（矢印Ｂの方向）に付勢する。すなわち、便器９００には支持脚３４２を介してレール３４３が取り付けられ、プーリー３４０は、レール３４３にスライド可能に支持されている。プーリー３４０の支持部３４１には、ぜんまい（スプリング）が内蔵され、レール３４３の一端に固定されたワイヤ３４５に対して引っ張り力を与えることにより、矢印Ｂの方向にプーリー３４０を付勢している。
【００３９】
開口９６０から引き出された給水管１００と電源コード２００は、支持柱３４６に当接支持され、プーリー３４０へと導かれる。そして、プーリー３４０により矢印Ｂの方向に張力を与えられた状態で反転し、給水栓１２０及びコンセント（図示せず）に接続される。
【００４０】
衛生洗浄装置８００を取り付けた状態においては、給水管１００と電源コード２００は押し戻されてプーリー３４０は矢印Ｂの方向に移動した位置にある。一方、衛生洗浄装置８００を取り外す時には、給水管１００と電源コード２００は引き出されるので、プーリー３４０は付勢力に対抗して矢印Ｂとは反対側の方向に移動する。
【００４１】
このように、付勢されたプーリー３４０により給水管１００と電源コード２００に適度な張力を与えることにより、給水管１００と電源コード２００はスムーズに引き出され、押し戻すことができる。また、本変型例の場合、給水管１００と電源コード２００の移動範囲が限定されているので、便器９００の後ろ側にトイレ室の壁が近接するような場合でも、衛生洗浄装置８００の着脱の際に、給水管１００と電源コード２００がこの壁に摺ることはない。
【００４２】
図１７は、プーリー３４０を付勢するガイド機構の変型例を表す模式図である。  
本変型例においては、ガイドパイプ３５０とガイドロッド３５１が支持脚３４２を介して便器９００に固定され、これらガイドパイプ３５０とガイドロッド３５１に対してスライドチューブ３５２がスライド可能に支持されている。スライドチューブ３５２の中にはスプリング３５４が内装され、スライドチューブ３５２を矢印Ｂの方向に付勢している。そして、スライドチューブ３５２にプーリー３５６が取り付けられている。このプーリー３５６により給水管１００と電源コード２００を支持し張力を付与することにより、図１５に関して前述したものと同様のガイドを実現できる。本具体例においても、スプリング３５４はスライドチューブ３５２に内装されているので、汚れやホコリなどの付着を防止し、周囲の部材との干渉も防ぐことができる。
【００４３】
図１８及び図１９は、給水管１００と電源コード２００のガイド構造の別の変型例を表す模式図である。  
本変型例においては、便器９００の後ろ側にスライドガイド３６０を設け、給水管１００と電源コード２００を左右に摺動自在に支持している。図１８は、衛生洗浄装置８００を便器９００に取り付けた状態を表す。衛生洗浄装置８００を便器９００から取り外す時には、給水管１００と電源コード２００は、矢印Ｃの方向にスライドガイド３６０の中をスライドする。
【００４４】
図１９に表したように、給水管１００は、スライドガイド３６０に当接する部分を、袋ナット３６１を介して金属や樹脂からなるスライド管３６２に置き換えてもよい。このようにすれば、給水管１００をスムーズにスライドさせることができ、また給水管１００がスライドガイド３６０と当接し摩耗することを防止できる。
【００４５】
図２０は、いわゆるケーブルベヤを用いたガイド機構を表す模式図である。  
すなわち、給水管１００と電源コード２００はケーブルベア３７０に内装され、その屈曲方向が制御されている。  
図２１は、ケーブルベアの構造を例示する一部拡大図である。  
ケーブルベアは、例えばキャタピラのように、複数の部材を互いに所定の範囲で揺動可能に連結した構造を有する。従って、その連結の構造に応じて、図２１（ａ）に表したように、２次元の範囲内で屈曲が可能なものと、図２１（ｂ）に数種類の具体例を表したように３次元的に屈曲が可能なものがある。いずれの場合も屈曲できる範囲を規制することが可能である。
【００４６】
このようなケーブルベア３７０の中に給水管１００と電源コード２００を内装し、その屈曲の方向を規制することにより、衛生洗浄装置８００の着脱の際に、給水管１００と電源コード２００をスムーズに引き出し、押し戻すことが可能である。
【００４７】
次に、本実施形態のトイレ装置における防水構造について説明する。  
図２２は、便器９００の上面に取り付けられるベースプレート９３０を表す模式図である。  
また、図２３は、このベースプレート９３０の裏面側を表す模式図である。  
本実施形態においては、衛生洗浄装置８００に接続される給水管１００と電源コード２００を引き出すために、便器９００の後方に開口９６０を設ける。このため、例えば便器９００の上面と衛生洗浄装置８００との隙間に小水などの水分が侵入した時に、この水分が隙間を伝わって開口９６０から下方に落下することを防ぐことが望ましい。
【００４８】
本具体例においては、このような水分の侵入を防止するために、樹脂などからなるベースプレート９３０を便器９００の左右方向にその幅とほぼ同じサイズとなるように形成する。つまり、ベースプレート９３０が便器９００の幅方向にほぼ全体を覆うようにする。そして、その裏面側の周端に、ゴムや樹脂などからなるパッキン９３２を設ける。
【００４９】
このようにすれば、便器９００の上面の幅方向のほぼ全体にわたりパッキン９３２が付設されることとなるので、例えば、子供が衛生洗浄装置８００と便器９００との隙間に向けて小水をかけたような場合でも、パッキン９３２により侵入を阻止できる。
【００５０】
また、このようなパッキンを衛生洗浄装置８００の側に設けることもできる。  
図２４は、衛生洗浄装置８００の裏面を表す模式図である。  
また、図２５は、この衛生洗浄装置８００の本体部８１０の中央付近の断面斜視図である。  
衛生洗浄装置８００の裏面の後方には、ベースプレート９３０への取付部８０４が設けられている。この取付部８０４は、例えば一対の溝状の凹部を有し、ベースプレート９３０に設けられた凸部と嵌合しスライドして着脱が可能とされている。そして、このベースプレート９３０との取付部８０４よりも前方に、パッキンを収容する溝８０６が設けられ、ゴムや樹脂などからなるパッキン８０８がはめ込まれている。パッキン８０８は、本体部８１０の前面に沿って、左右方向に端から端まで延在するように設けられている。このようにすれば、衛生洗浄装置８００と便器９００との隙間への小水などの侵入を確実に阻止できる。
【００５１】
次に、給水栓１２０の配置について説明する。  
図２６は、本実施形態のトイレ装置を横方向、後方、斜め後方からそれぞれ眺めた模式図である。  
本実施形態においては、衛生洗浄装置に接続される給水管１００及びロータンク９２０に水を供給する給水管１１０にそれぞれ水を給水する給水栓１２０が、便器３００の後方に設置されている。そして、便器３００の側方に取り付けられるカバー９５０が後方に延在し、給水栓１２０を隠蔽する。このようにすると、通常の使用態様において、使用者からは給水栓１２０及びこれに接続される給水管１００、１１０が隠された状態となり、すっきりとして見栄えがよく、掃除などもしやすくなる。
【００５２】
次に、便器洗浄ユニットを設けたトイレ装置について説明する。  
図２７は、便器洗浄ユニットを表す模式図である。  
本実施形態においては、ロータンク９２０に便器洗浄ユニットを内蔵し、電動でバルブを開いて便器９００に洗浄水を流すことが可能である。便器洗浄ユニット９７０は、図２７に表したように、モータユニット９７２と、その出力軸に取り付けられた玉鎖レバー９７４と、モータユニット９７２に電力を供給する接続コード９７６と、を有する。接続コード９７５の先端にはプラグ９７７が設けられ、衛生洗浄装置の本体部８１０に接続して、モータユニット９７２に駆動電力を供給する。
【００５３】
図２８は、便器洗浄ユニットの取付を表す模式図である。  
図２８（ａ）に表したように、便器洗浄ユニット９７０は、ロータンク９２０に設けられたハンドル９２４に接続され、ロータンク９２０の内側に固定される。そして、玉鎖レバー９７４の先端にロータンク９２０の玉鎖を接続する。この状態で、ハンドル９２４を手動で操作して便器９００に洗浄水を流すことも可能である。便器洗浄ユニット９７０の接続コード９７６は、図２８（ｂ）に表したように、ロータンク９２０の蓋９２５の後ろ側に設けられた空気抜き用の切り欠き９２５から外側に引き出す。そして、コードフック９７８により適宜固定して、ロータンク９２０の背面から下方に引き回し、図２８（ｃ）に表したように、衛生洗浄装置の本体部８１０の後ろ側に設けられた接続口にプラグ９７７を接続する。このようにして取り付けた便器洗浄ユニットは、例えば、図示しないリモコンを操作すると、衛生洗浄装置から所定の駆動電力が供給され、玉鎖レバー９７４を回転させて便器９００に電動で洗浄水を流すことが可能となる。
【００５４】
そして、本実施形態によれば、便器洗浄ユニット９７０の接続コード９７６も便器９００の側面に露出させず、すっきりと収容することができる。  
図２９は、本実施形態において便器洗浄ユニット９７０を取り付けた状態を表す模式図である。  
また、図３０は、比較例における便器洗浄ユニット９７０を取り付けた状態を表す模式図である。
【００５５】
比較例においては、接続コード９７６が便器の側面に露出している。これに対して、本実施形態によれば、図２９に表したように、接続コード９７６は露出しておらず、見栄えがすっきりとし清掃なども容易となる。
【００５６】
図３１は、本実施形態における接続コード９７６の引き出し経路を説明するための模式図である。    
本実施形態においては、便器９００の後方に開口９６４が設けられている。便器洗浄ユニット９７０から引き出された接続コード９７６は、ロータンク９２０の背面から下に回り込み、この開口９６４を介して引き出され、プラグ９７７が本体部８１０の接続口に接続される。そして、開口９６４及びロータンク９２０の下方は、カバー９５０により覆われる。このようにすれば、接続コード９７６は便器９００の側面に露出せず、すっきりとして見栄えがよく、また清掃などもしやすくなる。
【００５７】
なお、プラグ９７７を接続する本体部の接続口を、図８に関して前述した凹部８１０Ｃと同様に本体部８１０の後面８１０Ｂに凹部を形成しその中に設けると、プラグ９７７が本体部８１０の後方に突出せず、本体部８１０をロータンク９２０に密接して配置することが可能となる。
【００５８】
次に、本実施形態のトイレ装置の全体構成について説明する。
【００５９】
図３２は、本実施形態のトイレ装置を上方から眺めた模式図である。    
すなわち、この衛生洗浄便座装置８００は、腰掛便器９００の上部後方の平坦面９００Ｆに設置された本体部８１０を有する。本体部８１０には、便座８３０と、便蓋８２０と、が設けられている。また、便座８３０に座った使用者の存在を検知する着座センサ８３２が適宜設けられている。
【００６０】
本具体例の衛生洗浄便座装置は、使用者が便座８３０に座った状態で水を噴射させて「おしり」などを洗浄することができる。衛生洗浄便座装置には、その他にも例えば、濡れた「おしり」を乾かす「温風乾燥機能」や、便座８３０を暖める「便座暖房機能」、腰掛便器内の臭いを除去する「脱臭機能」などを設けることができる。また、使用者の接近を検知して便蓋８２０を自動的に開き、使用者がいなくなると便蓋８２０を自動的に閉じる「オート開閉機能」を設けることもできる。これらの機能は、衛生洗浄便座装置本体８１０に設けられた操作部（図示せず）を適宜操作することにより実行・設定でき、また、トイレの壁面などに設置されたリモコン（図示せず）を操作することにより実行させることも可能である。
【００６１】
またさらに、リモコン操作などにより腰掛便器９００に洗浄水を流す「自動水洗機能」を、衛生洗浄便座装置本体８１０に付加してもよい。これは、ロータンク９２０の排水機構を動作させる駆動機構を設け、この駆動機構を動作させる信号を衛生洗浄便座装置本体８１０から出力して、腰掛便器９００に自動的に洗浄水を流す機能である。
【００６２】
そして、本具体例においては、衛生洗浄便座装置本体８１０は水洗腰掛便器９００の上部後方の平坦面９００Ｆに設置され、その前面８１５が腰掛便器９００のボウル９１０の開口の形状に沿って湾曲している。なおここで、「後方」とは、図３２に表したように、通常ロータンク９２０が設置される側であり、通常の使用態様において使用者からみて遠い側を意味する。そして、この湾曲した前面８１５の左右には、前方に向けて延出した延出部８１０Ｐが設けられている。また、湾曲した前面８１５には、「おしり」を洗浄するための洗浄ノズルを出し入れするための開口部８１７が設けられている。開口部８１７には、塞ぎ板８２５が設けられ、洗浄ノズルは、この塞ぎ板８２５の裏側に収容されている。
【００６３】
本具体例においては、衛生洗浄便座装置本体８１０はボウル９１０に沿って後方に湾曲した前面８１５を有する。その結果、汚れにくく、また、男性の小用の際などにも小水がかかりにくくなる。また、掃除が極めて容易となる。またさらに、見た目にもすっきりとして、見栄えがよく、使用者に対して清潔感や衛生感を与え、快適な使い心地のトイレ装置を提供できる。
【００６４】
図３３は、本具体例の衛生洗浄便座装置本体８００の内部構成を例示する透視図である。  すなわち、衛生洗浄便座装置本体８１０の中央付近には、洗浄ノズル４００が設けられる。洗浄ノズル４００の後方には、ノズルを進退させる可撓ラックを収納する収納パイプ６１４が設けられている。また、洗浄ノズルの向かって右側には、温風乾燥装置８７０が設けられ、開閉自在に設けられた塞ぎ板８１４を介して使用者の「おしり」などに温風を吹き付け可能とされている。さらにその右側には、脱臭装置８５０が設けられている。本具体例の場合、脱臭装置８５０の一部は、右側の延出部８１０Ｐに突出して収容されている。
【００６５】
一方、洗浄ノズル４００の向かって左側には、洗浄ノズル４００に温水を供給するための水路系８６０が設けられている。この水路系８６０は、例えば、バルブユニット８６２、熱交換ユニット８６３、流調ユニット８６４などを有する。そして、これら水路系８６０の前方に制御基板８８０が内蔵されている。制御基板８８０は、衛生洗浄便座装置の各部を制御する電気回路を有する。制御基板８８０を水路系８６０の上に設けることにより、結露や万が一の漏水の際にも、ショートや漏電を防止できる。そして、制御基板８８０を左側の延出部８１０Ｐに突出させることにより、限られた収容スペースを有効に活用できる。
【００６６】
本実施形態によれば、このようにすっきりとしてコンパクトな衛生洗浄装置８００を備えたトイレ装置において、給水管１００や電源コード２００を測方に露出させず、外観も同様にすっきりと見栄えよくすることができる。また、清掃も容易となる。  
そしてさらに、衛生洗浄装置８００をスムーズに着脱可能としたことにより、衛生洗浄装置８００の裏面側や、便器９００の上面を十分に清掃することができ、常に清潔な状態を維持できる。
【００６７】
以上、具体例を参照しつつ本発明の実施形態について説明した。しかし、本発明は、これらの実施形態及びその具体例に限定されるものではない。すなわち、本発明のトイレ装置を構成するいずれかの要素について当業者が設計変更を加えたものであっても、本発明の要旨を備えたものであれば、本発明の範囲に包含される。  
例えば、便器９００、ロータンク９２０、衛生洗浄装置８００の形状や構造などについて、当業者が適宜変更を加えたものであっても、本発明の要旨を含む限り、本発明の範囲に包含される。
【図面の簡単な説明】
【００６８】
【図１】本発明の実施の形態に係るトイレ装置を左右前方からそれぞれ眺めた模式図である。
【図２】比較例のトイレ装置を表す模式図である。
【図３】衛生洗浄装置８００の着脱を表す模式図である。
【図４】ロータンク９２０とカバー９５０を取り外して衛生洗浄装置８００の着脱を表した模式図である。
【図５】開口９６０の部分を拡大した模式図である。
【図６】本実施形態のトイレ装置を上方から眺めた模式図である。
【図７】本実施形態の変型例を表す模式図である。
【図８】トイレ装置からロータンク９２０とカバー９５０を取り外して後方から眺めた模式図である。
【図９】ホースガイド３００の構造を例示する模式図である。
【図１０】図９の具体例のホースガイド３００を設けたトイレ装置を表す模式図である。
【図１１】ホースガイド３００の変型例を表す模式図である。
【図１２】ホースガイド３００の変型例を表す模式図である。
【図１３】ホースガイド３００のさらなる変型例を表す分解図である。
【図１４】異なるタイプのベアリングを用いたホースガイドを説明するための模式図である。
【図１５】給水管１００と電源コード２００のガイド構造の変型例を表す模式図である。
【図１６】ガイド構造の部分拡大図である。
【図１７】プーリー３４０を付勢するガイド機構の変型例を表す模式図である。
【図１８】給水管１００と電源コード２００のガイド構造の別の変型例を表す模式図である。
【図１９】給水管１００と電源コード２００のガイド構造の別の変型例を表す模式図である。
【図２０】ケーブルベヤを用いたガイド機構を表す模式図である。
【図２１】ケーブルベアの構造を例示する一部拡大図である。
【図２２】便器９００の上面に取り付けられるベースプレート９３０を表す模式図である。
【図２３】ベースプレート９３０の裏面側を表す模式図である。
【図２４】衛生洗浄装置８００の裏面を表す模式図である。
【図２５】衛生洗浄装置８００の本体部８１０の中央付近の断面斜視図である。
【図２６】本実施形態のトイレ装置を横方向、後方、斜め後方からそれぞれ眺めた模式図である。
【図２７】便器洗浄ユニットを表す模式図である。
【図２８】便器洗浄ユニットの取付を表す模式図である。
【図２９】本実施形態において便器洗浄ユニット９７０を取り付けた状態を表す模式図である。
【図３０】比較例における便器洗浄ユニット９７０を取り付けた状態を表す模式図である。
【図３１】本実施形態における接続コード９７６の引き出し経路を説明するための模式図である。
【図３２】本実施形態のトイレ装置を上方から眺めた模式図である。
【図３３】本具体例の衛生洗浄便座装置本体８００の内部構成を例示する透視図である。
【符号の説明】
【００６９】
１００ 給水管、１０２ 金具、１１０  給水管、１２０ 給水栓、２００ 電源コード、２２０ プラグ、３００ ホースガイド、３１０、３１２ フレーム、３１６ ネジ、３２０ ボールベアリング、３２２ ボール、３３０ ベアリング、３３２ 滑車、３４０ プーリー、３４１ 支持部、３４２ 支持脚、３４３ レール、３４５ ワイヤ、３４６ 支持柱、３５０ ガイドパイプ、３５１ ガイドロッド、３５２ スライドチューブ、３５４ スプリング、３５６ プーリー、３６０ スライドガイド、３６１ 袋ナット、３６２ スライド管、３７０ ケーブルベア、３８０ コードガイド、４００ 洗浄ノズル、６１４ 収納パイプ、８００ 衛生洗浄装置、８０４ 取付部、８０６ 溝、８０８ パッキン、８１０ 本体部、８１０Ｐ 延出部、８１４ 塞ぎ板、８１５ 前面、８１７ 開口部、８２０ 便蓋、８２５ 塞ぎ板、８３０ 便座、８３２ 着座センサ、８５０ 脱臭装置、８６０ 水路系、８６２ バルブユニット、８６３ 熱交換ユニット、８６４ 流調ユニット、８７０ 温風乾燥装置、８８０ 制御基板、９００ 水洗腰掛便器、９００Ｆ 平坦面、９１０ ボウル、９１５  ロータンク台、９２０ ロータンク、９２２ 切り欠き、９３０ ベースプレート、９３２ パッキン、９５０ カバー、９６０ 開口、９６２ スペーサ、９６４  開口、９７０  便器洗浄ユニット、９７２  モータユニット、９７４  玉鎖レバー、９７６  接続コード、９７７  プラグ、９７８  コードフック
【図１】
2008095396.tif 000003
【図２】
2008095396.tif 000004
【図３】
2008095396.tif 000005
【図４】
2008095396.tif 000006
【図５】
2008095396.tif 000007
【図６】
2008095396.tif 000008
【図７】
2008095396.tif 000009
【図８】
2008095396.tif 000010
【図９】
2008095396.tif 000011
【図１０】
2008095396.tif 000012
【図１１】
2008095396.tif 000013
【図１２】
2008095396.tif 000014
【図１３】
2008095396.tif 000015
【図１４】
2008095396.tif 000016
【図１５】
2008095396.tif 000017
【図１６】
2008095396.tif 000018
【図１７】
2008095396.tif 000019
【図１８】
2008095396.tif 000020
【図１９】
2008095396.tif 000021
【図２０】
2008095396.tif 000022
【図２１】
2008095396.tif 000023
【図２２】
2008095396.tif 000024
【図２３】
2008095396.tif 000025
【図２４】
2008095396.tif 000026
【図２５】
2008095396.tif 000027
【図２６】
2008095396.tif 000028
【図２７】
2008095396.tif 000029
【図２８】
2008095396.tif 000030
【図２９】
2008095396.tif 000031
【図３０】
2008095396.tif 000032
【図３１】
2008095396.tif 000033
【図３２】
2008095396.tif 000034
【図３３】
2008095396.tif 000035